(57)【要約】【課題】廉価で拡張、組立容易な枠組とそれを使用するための方法を提供する。【解決手段】装置（１００）は、互いに直交するｘ軸（１０２）、ｙ軸（１０４）、およびｚ軸（１０６）を基準にし位置あわせ可能な支持部材を備える。第１〜第４の支持部材（１０８、１１０、１１２、１１４）が含まれており、第１の支持部材をｙ軸とほぼ平行に位置合わせし、第２の支持部材をｙ軸とほぼ平行でｚ軸に対しておよそｚオフセットのところに位置合わせし、第３の支持部材をｚ軸とほぼ平行でｘ軸に関しておよそｘオフセットのところに位置合わせし、第４の支持部材をｚ軸とほぼ平行でｙ軸に関しておよそｘオフセットでかつｙオフセットのところに位置合わせすると相互結合可能となる。また自立型枠組（１４３）をも備え、第１〜第４の支持部材は、物品（１２７）の支持に役立つ。【選択図】図１
2005101603.tif 000002
【特許請求の範囲】
【請求項１】
互いに直交するｘ軸、ｙ軸、およびｚ軸を基準にして識別可能な方向にほぼ沿って位置合わせ可能な１つまたは複数の支持部材を備え、
該１つまたは複数の支持部材には、
第１の支持部材を前記ｙ軸とほぼ平行に位置合わせし、
第２の支持部材を前記ｙ軸とほぼ平行で前記ｚ軸に関しておよそｚオフセットのところに位置合わせし、
第３の支持部材を前記ｚ軸とほぼ平行で前記ｘ軸に関しておよそｘオフセットのところに位置合わせし、
第４の支持部材を前記ｚ軸とほぼ平行で前記ｙ軸に関しておよそｘオフセットでかつｙオフセットのところに位置合わせすると結合可能な前記第１〜第４の支持部材を備え、
該１つまたは複数の支持部材は自立型枠組をなし、
前記第１〜第４の支持部材は、１つまたは複数の物品を支持するのに役立つことを特徴とする物品支持用装置。
【請求項２】
前記第１〜第４の支持部材のうちの１つまたは複数は、基盤と当接し、該基盤に対して複数の可能な向きのいずれか１つの向きに、前記１つまたは複数の物品を支持するのに役立つことを特徴とする請求項１に記載の物品支持用装置。
【請求項３】
前記１つまたは複数の支持部材は、第５の支持部材、第６の支持部材、第７の支持部材、および第８の支持部材を備え、
前記第５の支持部材は、前記第１の支持部材および前記第３の支持部材と結合され、
前記第６の支持部材は、前記第１の支持部材および前記第４の支持部材と結合され、
前記第７の支持部材は、前記第２の支持部材および前記第３の支持部材と結合され、
前記第８の支持部材は、前記第２の支持部材および前記第４の支持部材と結合されていることを特徴とする請求項１に記載の物品支持用装置。
【請求項４】
前記１つまたは複数の支持部材は、第９の支持部材および第１０の支持部材を備え、
前記第９の支持部材は、前記ｙ軸とほぼ平行でおよそ前記ｘオフセットのところに位置合わせられ、
前記第１０の支持部材は、前記ｙ軸とほぼ平行でおよそ前記ｘオフセットでかつ前記ｚオフセットのところに位置合わせされ、
前記第９の支持部材は、前記第５の支持部材、前記第６の支持部材、前記第３の支持部材の第１の端部、および前記第４の支持部材の第１の端部のうちの１つまたは複数と結合され、
前記第１０の支持部材は、前記第７の支持部材、前記第８の支持部材、前記第３の支持部材の第２の端部、および前記第４の支持部材の第２の端部のうちの１つまたは複数と結合されていることを特徴とする請求項３に記載の物品支持用装置。
【請求項５】
前記第１の支持部材、前記第２の支持部材、前記第３の支持部材、前記第４の支持部材、前記第５の支持部材、前記第６の支持部材、前記第７の支持部材、前記第８の支持部材、前記第９の支持部材、および前記第１０の支持部材のうちの２つ以上は、１つまたは複数の一体化された構成要素を備えることを特徴とする請求項４に記載の物品支持用装置。
【請求項６】
前記１つまたは複数の支持部材のうちの１つの支持部材は、１つまたは複数のサブ部材および１つまたは複数のコネクタ部品を備え、
該１つまたは複数のコネクタ部品は、前記１つまたは複数のサブ部材を結合するのに役立つことを特徴とする請求項４に記載の物品支持用装置。
【請求項７】
前記１つまたは複数の支持部材は、第１の１つまたは複数の支持部材を備えるとともに、
結合可能な第２の１つまたは複数の支持部材をさらに備え、
前記第１の１つまたは複数の支持部材および前記第２の１つまたは複数の支持部材は、自立型構成に積み上げ可能であることを特徴とする請求項４に記載の物品支持用装置。
【請求項８】
前記第２の１つまたは複数の支持部材は、前記互いに直交するｘ軸、ｙ軸、およびｚ軸軸を基準にして識別可能な方向にほぼ沿って位置合わせ可能であり、
前記ｘ軸に対する前記ｘオフセットは、第１のｘオフセットを含み、
前記第２の１つまたは複数の支持部材は、
第１１の支持部材を、前記ｙ軸とほぼ平行で前記ｘ軸に対しておよそ第２のｘオフセットのところに位置合わせし、
第１２の支持部材を、前記ｙ軸とほぼ平行でおよそ前記ｚオフセットでかつ前記第２のｘオフセットのところに位置合わせし、
第１３の支持部材を、前記ｚ軸とほぼ平行で前記第１のｘオフセットと前記第２のｘオフセットとの組み合わせから成るおよそ第３のオフセットのところに位置合わせし、
第１４の支持部材を、前記ｚ軸とほぼ平行でおよそ前記第３のｘオフセットでかつ前記ｙオフセットのところに位置合わせし、
第１５の支持部材を、前記ｘ軸とほぼ平行でおよそ前記第２のｘオフセットのところに位置合わせし、
第１６の支持部材を、前記ｘ軸とほぼ平行でおよそ前記第２のｘオフセットでかつ前記ｙオフセットのところに位置合わせし、
第１７の支持部材を、前記ｘ軸とほぼ平行でおよそ前記第２のｘオフセットでかつ前記ｚオフセットのところに位置合わせし、
第１８の支持部材を、前記ｘ軸とほぼ平行で前記第２のｘオフセット、前記ｙオフセット、および前記ｚオフセットのところに位置合わせし、
第１９の支持部材を、前記ｙ軸とほぼ平行でおよそ前記第２のｘオフセットのところに位置合わせし、
第２０の支持部材を、前記ｙ軸とほぼ平行でおよそ前記第２のｘオフセットでかつ前記ｚオフセットのところに位置合わせすると結合可能な前記第１１〜２０の支持部材を備え、
前記第９の支持部材は前記第１１の支持部材と当接し、前記第１０の支持部材は前記第１２の支持部材と当接することを特徴とする請求項７に記載の物品支持用装置。
【請求項９】
１つまたは複数のコネクタ部品をさらに備え、
該１つまたは複数のコネクタ部品は、前記第１の１つまたは複数の支持部材と、前記第２の１つまたは複数の支持部材とを結合し、前記自立型構成を支持するのに役立つことを特徴とする請求項７に記載の物品支持用装置。
【請求項１０】
ほぼ平行に位置合わせされた第１の主面および第２の主面を備える物品を支持するための方法であって、
１つまたは複数の支持部材を、前記物品の前記第１の主面を概ね第１の方向に沿って支持し、前記物品の前記第２の主面を概ね第２の方向に沿って支持する自立型枠組に組み立てるステップを含み、前記第１の方向および前記第２の方向は、ほぼ直交することを特徴とする物品を支持するための方法。
【発明の詳細な説明】
【技術分野】
【０００１】
本発明は概して物品を支持する枠組に関し、特に廉価で拡張、組立容易な枠組に関する。
【背景技術】
【０００２】
ネットワーク運用センターの職員は、しばしば、枠組を用いてコンピュータ室内の物品を支持する。現在用いられている枠組には、ペデスタルデバイスおよびラックマウントデバイスがある。ペデスタルデバイスは、ペデスタルすなわち垂直な向きで物品を支持し、物品が必要とする床面積を低減させる。ラックマウントデバイスは、物品をラックマウントすなわち水平な向きで支持し、複数の物品を積み上げることが出来る。
【発明の開示】
【発明が解決しようとする課題】
【０００３】
上記の背景技術を参照すると、ペデスタルデバイスを、物品が水平の向きで支持されるように積み上げたり改造したりすることは容易ではない。ラックマウントデバイスを、物品が垂直方向で支持されるように改造することはできない。ラックマウントデバイスはまた、ハードウェア構成要素に多大な初期投資を必要とするため、わずか数物品を支持する場合には、費用効率が低下する。ペデスタルもラックマウントデバイスも、ユーザが組立る場合に工具も必要とする。したがって、本発明の目的は、以上の不都合を解消し、廉価で拡張、組立容易な枠組とそれを使用するための方法を提供することにある。
【課題を解決するための手段】
【０００４】
１つの実施態様において、本発明は装置を含む。装置は、互いに直交するｘ軸、ｙ軸およびｚ軸を基準にして識別可能な方向にほぼ沿って位置合わせ可能な１つまたは複数の支持部材を備える。１つまたは複数の支持部材は、第１の支持部材を、ｙ軸とほぼ平行に位置合わせし、第２の支持部材を、ｙ軸とほぼ平行でｚ軸に関しておよそｚオフセットのところに位置合わせし、第３の支持部材を、ｚ軸とほぼ平行でｘ軸に関しておよそｘオフセットのところに位置合わせし、第４の支持部材を、ｚ軸とほぼ平行でおよそｘオフセットでかつｙオフセットのところに位置合わせすると結合可能な第１の支持部材、第２の支持部材、第３の支持部材、および第４の支持部材を含む。
【０００５】
本発明の別の実施態様は装置を含む。物品は、ほぼ平行に位置合わせされた第１の主面および第２の主面を備える。装置は、第１の一般的な方向に沿って、物品の第１の主面を支持するための手段を備える。装置は、第２の一般的な方向に沿って、物品の第２の主面を支持するための手段を備え、第１の一般的な方向および第２の一般的な方向は、ほぼ直交する方向を含む。
【０００６】
本発明のさらに別の実施態様は、方法を含む。物品は、ほぼ平行に位置合わせされた第１の主面および第２の主面を備える。１つまたは複数の支持部材は、前記物品の第１の主面を第１の一般的な方向に沿って支持し、物品の第２の主面を第２の一般的な方向に沿って支持する自立型枠組として組み立てられる。第１の一般的な方向および第２の一般的な方向には、ほぼ直交する方向が含まれる。
【０００７】
本発明の例示的な実施態様の特徴は、以下の記載、請求項、および添付の図面から明白となる。
【発明を実施するための最良の形態】
【０００８】
本発明を理解するために好適な本発明の実施例について以下に詳述する。なお、以下の実施例は本発明を限定するためのものではない。
【０００９】
図１を参照すると、本発明の１実施例における装置１００は、ハードウェア構成要素などの１つまたは複数の構成要素を有する。いくつかのこのような構成要素は、装置１００の中で結合され、また分離される。該装置１００は、任意の向き（たとえば、水平、斜め、または垂直）を有し、本明細書における説明および図面は、例示を目的として、装置１００の１つの例示的な向きを示す。
【００１０】
１つの例における装置１００の１つまたは複数の構成要素は、ｘ軸１０２、ｙ軸１０４およびｚ軸１０６を基準にして、配置可能である。ｘ軸１０２、ｙ軸２０４およびｚ軸１０６は、当業者には理解されるように、互いに直交する軸からなる。
【００１１】
１つの例では、装置１００は、１つまたは複数の支持部材（たとえば、支持部材１０８、１１０、１１２、１１４、１１６、１１８、１２０、１２２、１２４、および１２６）を備える。支持部材１０８、１１０、１１２、１１４、１１６、１１８、１２０、１２２、１２４、および１２６は、互いに、直接および／または間接的に結合可能である。１つの例では、支持部材１０８、１１０、１１２、１１４、１１６、１１８、１２０、１２２、１２４、および１２６は、物品１２７を支持するのに役立つ。
【００１２】
１つの例における支持部材１０８、１１０、１１２、１１４、１１６、１１８、１２０、１２２、１２４、および１２６は、１つまたは複数のコネクタ部品１２８、１３０、１３２、１３４、１３６、１３８、１４０、および１４２を用いて互いに結合される。他の例では、支持部材１０８、１１０、１１２、１１４、１１６、１１８、１２０、１２２、１２４、および１２６のうちの１つまたは複数、ならびにコネクタ部品１２８、１３０、１３２、１３４、１３６、１３８、１４０、および１４２のうちの１つまたは複数は、１つまたは複数の一体化されたおよび／または単一の構成要素を含む。たとえば、支持部材１１４およびコネクタ部品１４２は、組み合わせられ、１つの一体化された構成要素を構成することができる。１つの例における枠組１４３は、支持部材１２８、１３０、１３２、１３４、１３６、１３８、１４０および１４２、ならびに１つまたは複数のコネクタ部品を含む。たとえば、枠組１４３は、支持部材１０８、１１０、１１２、１１４、１１６、１１８、１２０、１２２、１２４および１２６、ならびにコネクタ部品１２８、１３０、１３２、１３４、１３６、１３８、１４０および１４２を備える。１つの例における枠組１４３は、自立型枠組となり得る。枠組１４３の１つまたは複数の支持部材は、本明細書に記載されるように、基盤１４４に対して複数の可能な向きのいずれか１つの向きに、物品１２７を支持するのに役立つ。１つの例における物品１２７は、１つまたは複数のコンピュータ、ネットワークスイッチおよび電源を備える。
【００１３】
１つの例における支持部材１０８は、ｙ軸１０４とほぼ平行に配置される。１つの例における支持部材１１０は、ｙ軸１０４とほぼ平行でｚ軸１０６に関しておよそｚオフセットところに配置される。１つの例における支持部材１１２は、ｚ軸１０６とほぼ平行でｘ軸１０２に関しておよそｘオフセットのところに配置される。１つの例における支持部材１１４は、ｚ軸１０６とほぼ平行でｘ軸１０２に関しておよそｘオフセットでかつｙ軸１０４に関しておよそｙオフセットのところに配置される。
【００１４】
１つの例における支持部材１１６は、支持部材１０８および支持部材１１２と結合されている。１つの例では、支持部材１１６は、コネクタ部品１２８および１３０を用いて、それぞれ、支持部材１０８の第１の端部および支持部材１１２の第１の端部と結合されている。他の例では、支持部材１１６は、ｘ軸１０２とほぼ平行に配置される。１つの例における支持部材１１８は、支持部材１０８および支持部材１１４と結合されている。１つの例では、支持部材１１８は、コネクタ部品１３２および１３４を用いて、それぞれ、支持部材１０８の第２の端部および支持部材１１４の第１の端部と結合されている。他の例では、支持部材１１８は、ｘ軸１０２とほぼ平行でおよそｙオフセットのところに配置される。１つの例における支持部材１２０は、支持部材１１０および支持部材１１２と結合されている。１つの例では、支持部材１２０は、コネクタ部品１３６および１３８を用いて、それぞれ、支持部材１１０の第１の端部および支持部材１１２の第２の端部と結合されている。他の例では、支持部材１２０は、ｘ軸１０２とほぼ平行でおよそｚオフセットのところに配置される。１つの例における支持部材１２２は、支持部材１１０および支持部材１１４と結合されている。１つの例では、支持部材１２２は、コネクタ部品１４０および１４２を用いて、それぞれ、支持部材１１０の第２の端部および支持部材１１４の第２の端部と結合されている。他の例では、支持部材１２２は、ｘ軸１０２とほぼ平行でおよそｙオフセットでかつｚオフセットのところに配置される。
【００１５】
１つの例における支持部材１２４は、支持部材１１６および支持部材１１８の一方または両方と結合されている。他の例では、支持部材１２４は、コネクタ部品１３０および１３４を用いて、それぞれ、支持部材１１２の第１の端部および支持部材１１４の第１の端部の一方または両方と結合されている。１つの例における支持部材１２６は、支持部材１２０および支持部材１２２の一方または両方と結合されている。他の例では、支持部材１２６は、コネクタ部品１３８および１４２を用いて、それぞれ、支持部材１１２の第２の端部および支持部材１１４の第２の端部の一方または両方と結合されている。１つの例では、支持部材１２４および支持部材１２６は、物品１２７に当接する。他の例では、枠組１４３は、１つまたは複数のネジおよび／またはボルト、ならびに支持部材１２４および１２６の１つまたは複数のアパーチャを用いて、物品１２７を支持部材１２４および１２６と結合する。
【００１６】
１つの例における枠組１４３は、物品１２７を支持するのに役立つ。１つの例における物品１２７は、「ＥＩＡ  ＲＳ−３１０」規格（Electronic Industries Alliance、Arlington, VA, http:/www.eia.org）に従っている。１つの例における支持部材１０８および１１０は、同じ長さを有する。他の例では、支持部材１１２および１１４は、同じ長さを有する。支持部材１１２および１１４の長さに対する支持部材１０８および１１０の長さの比は、Electronic Industries Alliance（「ＥＩＡ」）ＲＳ−３１０規格（たとえば、「４Ｕ」規格）に準拠した物品１２７を支持する比を有する。
【００１７】
１つの例における枠組１４３の支持部材は、製造コストの削減を促進する形状および／または向きにされる。さらに他の例では、枠組１４３の支持部材の形状および／または向きは、枠組１４３が様々な向きをとれるようにされる。１つの例における支持部材１０８、１１０、１１２、１１４、１１６、１１８、１２０および１２２のうちの１つまたは複数は、基盤１４４と当接し、物品１２７を基盤１４４に対して１つまたは複数の向きで支持するのに役立つ。１つの例では、図１を参照すると、枠組１４３は、物品１２７が、基盤１４４に対してほぼ垂直な向き（たとえば、ペデスタルまたはタワーの向き）をなすように取り付けられる。別の例では、図６を参照すると、枠組１４３は、物品１２７が、基盤１４４、たとえば、ラックマウントまたはデスクトップの向きに対してほぼ水平の向きに配置されるるように取り付けられる。１つの例における枠組１４３の１つまたは複数の支持部材は、物品１２７の向きの変更を容易にする。
【００１８】
１つの例における枠組１４３は、物品１２７に対する外側バリアを設け、他の固い物体からの保護力を増進する。たとえば、枠組１４３の少なくとも２つの支持部材が、物品１２７に対して外側バリアの一面を備える。１つの例における枠組１４３は、物品１２７の周辺の空気の自由な流れを促進するのに役立つ。たとえば、枠組１４３の支持部材は、物品１２７の１つまたは複数の第１の部分と同時に当接し、物品１２７の周辺の空気の自由な流れを促進し、物品１２７の１つまたは複数の第２の部分を、物品１２７の周辺の空気の自由な流れに曝す。１つの例における枠組１４３は、物品１２７に対する外側バリアに沿って、１つまたは複数のパネルおよび／またはベゼルを備える。たとえば、パネルおよび／またはベゼルは、物品１２７によって生成される騒音が聞こえ難くなるようにする。１つの例における枠組１４３は、箱構造を形成するために１２個の支持部材を備える代わりに、わずか８個の支持部材のみを備える。
【００１９】
枠組１４３の１つまたは複数の支持部材は、１つまたは複数の管状構造を含む。支持部材の構造の例示的な材料としては、鋼、アルミニウム、他の金属および／または合金、ならびにプラスチックおよびナイロンなどの人工の材料が含まれる。１つの例における枠組１４３の支持部材は、枠組１４３が容易に移動できるようにする材料および形状を備える。たとえば、硬いおよび／またはカーペットを敷いた床の上を簡単に摺動する軽量のプラスチックの管状構造等である。管状構造は、ユーザが簡単に動かせるようにする。たとえば、管状構造の直径により、ユーザは、枠組１４３を簡単につかむことができる。
【００２０】
図１〜図４を参照すると、１つの例における枠組１４３の２つ以上の支持部材は、一体化された構成要素を構成する。１つの例では、支持部材１０８、１１０、１１２、１１４、１１６、１１８、１２０および１２２は、一体化された構成要素を構成する。他の例では、支持部材１０８、１１０、１１２、１１４、１１６、１１８、１２０、１２２、１２４および１２６は、一体化された構成要素を構成する。
【００２１】
枠組１４３の一体化された構成要素および／または支持部材は、組み合わせられ、かつ／または分離される。１つの例では、支持部材１０８、支持部材１１６、支持部材１１８、および支持部材１２４は、組み合わせられ、一体化された構成要素を構成し、構造上の強度を高める。別の例では、枠組１４３の支持部材は、組み合わせられ、パーツの数および／または製造コストを減少させる。さらに別の例では、支持部材１１２および支持部材１１４は、本明細書に記載されるように分離され、当業者には理解されるように、搬送しやすくする。
【００２２】
図１および図２を参照すると、支持部材１１０、１２０、１２２、および１２６、ならびにコネクタ部品１３６および１４０は、一体化された構成要素２０２を構成する。支持部材１０８、１１６、１１８および１２４、ならびにコネクタ部品１２８および１３２は、一体化された構成要素２０４を構成する。一体化された構成要素２０２は、コネクタ部品１３８および１４２を用いて、それぞれ、支持部材１１２の第２の端部および支持部材１１４の第２の端部と結合されている。一体化された構成要素２０４は、コネクタ部品１３０および１３４を用いて、それぞれ、支持部材１１２の第１の端部および支持部材１１４の第１の端部と結合されている。
【００２３】
図３および図４を参照すると、枠組１４３の１つまたは複数の支持部材は、１つまたは複数のサブ部材および１つまたは複数のコネクタ部品を備える。１つの例では、支持部材１１２および支持部材１１４は、１つまたは複数のサブ部材および１つまたは複数のコネクタ部品を備える。支持部材１１２は、サブ部材３０２、サブ部材３０４、およびコネクタ部品３０６を備える。サブ部材３０２およびサブ部材３０４は、本明細書に記載されているように、コネクタ部品３０６によって結合されている。支持部材１１４は、サブ部材３０８、サブ部材３１０、およびコネクタ部品３１２を備える。サブ部材３０８およびサブ部材３１０は、本明細書に記載されているように、コネクタ部品３１２を用いて結合されている。１つの例における支持部材１１０、支持部材１２０、支持部材１２２、支持部材１２６、サブ部材３０２、サブ部材３０８、およびコネクタ部品１３６、１３８、１４０および１４２は、一体化された構成要素３１４を構成する。１つの例における支持部材１０８、支持部材１１６、支持部材１１８、支持部材１２４、サブ部材３０４、サブ部材３１０、およびコネクタ部品１２８、１３０、１３２および１３４は、一体化された構成要素３１６を構成する。一体化された構成要素３１４は、コネクタ部品３０６および３１２を用いて一体化された構成要素３１６と結合されている。さらなる支持部材、サブ部材、および／またはコネクタ部品は、当業者には理解されるように、組み合わせられ、かつ／または分離され、構造上の強度を高め、製造コストを削減し、かつ／または搬送しやすくすることができる。
【００２４】
図２〜図５を参照すると、１つの例における例示的なコネクタ部品は、いくつかの構成の１つを有する。図３および図４を参照すると、１つの例におけるコネクタ部品３０６および３１２は、例示的な管状支持部材の空洞内に嵌合するための挿入部を備える。コネクタ部品３１２は、部分４０６および部分４０８を備える。たとえば、コネクタ部品３１２は、サブ部材３０８およびサブ部材３１０の空洞内に嵌合する挿入部を備える。挿入部の部分４０６は、サブ部材３０８の空洞に圧入される。挿入部の部分４０８は、サブ部材３１０の空洞に圧入される。
【００２５】
図１、図２および図５を参照すると、１つの例における支持部材１１２および支持部材１１６は、コネクタ部品１３０を備える。支持部材１１２は、端部５０２を備える。支持部材１１６は、端部５０４を備える。１つの例における端部５０２は、端部５０４の内径とほぼ等しい外径を有する。たとえば、端部５０２は、端部５０４に圧入される。
【００２６】
図６〜図８を参照すると、１つの例における枠組１４３および別の枠組６０３は、組み合わせられて自立型構成６０２を形成する。他の例では、３つ以上の枠組１４３が自立型構成６０２に構成されている。１つの例では、枠組１４３の支持部材の形状および／または向きにより、自立型構成６０２は、枠組１４３および枠組６０３のみを用いてユーザによって構成される。別の例では、１つまたは複数のコネクタ部品６０４は、ユーザが自立型構成６０２を構成するために必要である。
【００２７】
１つの例における枠組１４３および枠組６０３は、積み上げられ、自立型構成６０２を形成する。枠組６０３は、支持部材６０６、６０８、６１０、６１２、６１４、６１６、６１８、６２０、６２２および６２４を有する。支持部材６０６、６０８、６１０、６１２、６１４、６１６、６１８、６２０、６２２および６２４は、互いに直交するｘ軸、ｙ軸およびｚ軸を基準にして識別可能な方向にほぼ沿って位置合わせ可能であり、前のｘオフセットは第１のｘオフセットを含む。
【００２８】
１つの例における支持部材６０６は、ｙ軸１０４とほぼ平行でｘ軸１０２に対しておよそ第２のｘオフセットのところに配置される。１つの例における支持部材６０８は、ｙ軸１０４とほぼ平行でおよそｘオフセットでかつｚオフセットのところに配置される。１つの例における支持部材６１０は、ｚ軸１０６とほぼ平行で第１のｘオフセットおよび第２のｘオフセットの組み合わせからなるおよそ第３のｘオフセットのところに配置される。１つの例における支持部材６１２は、ｚ軸１０６とほぼ平行でおよそ第３のｘオフセットでかつｙオフセットのところに配置される。１つの例における支持部材６１４は、ｘ軸１０２とほぼ平行でおよそ第２のｘオフセットのところに配置される。１つの例における支持部材６１６は、ｘ軸１０２とほぼ平行でおよそ第２のｘオフセットでかつｙオフセットのところに配置される。１つの例における支持部材６１８は、ｘ軸１０２とほぼ平行でおよそ第２のｘオフセットでかつｚオフセットのところに配置される。１つの例における支持部材６２０は、ｘ軸１０２とほぼ平行でおよそｘオフセット、ｙオフセット、かつｚオフセットのところに配置される。１つの例における支持部材６２２は、ｙ軸１０４とほぼ平行でおよそ第２のｘオフセットのところに配置される。１つの例における支持部材６２４は、ｙ軸１０４とほぼ平行でおよそ第２のｘオフセットでかつｚオフセットのところに配置される。
【００２９】
１つの例における支持部材１２４および１２６は、支持部材６０６および６０８とそれぞれ当接する。他の例では、コネクタ部品６０４は、それぞれ、支持部材１２４と支持部材６０６とを結合し、支持部材１２６と支持部材６０８とを結合するのに役立つ。
【００３０】
図９および図１０を参照すると、１つの例におけるコネクタ部品６０４は、枠組１４３と枠組６０３とを結合するのに役立つ。コネクタ部品６０４は、枠組１４３の１つまたは複数の支持部材と、枠組６０３の１つまたは複数の支持部材とを結合する。たとえば、図６を参照すると、コネクタ部品６０４は、支持部材６０８を１つまたは複数の支持部材１２０、１２２および１２６と結合する。１つの例におけるコネクタ部品６０４は、第１および第２の複数の支持部材の１つまたは複数の支持部材の間に、圧入カップリングを備える。１つの例では、コネクタ部品６０４により、ユーザは、枠組１４３、枠組６０１およびコネクタ部品６０４のみを用いて、自立型構成６０２を構成することができる。
【００３１】
本明細書に記載されるステップまたは動作は例示にすぎない。本発明の精神から逸脱せずに、これらのステップまたは動作に多くの変形があり得る。たとえば、ステップを異なる順序で実施してもよく、またはステップを追加、削除もしくは変更してもよい。
【００３２】
本発明の例示的な実施態様を示し、詳細に記載したが、本発明の精神から逸脱せずに、様々な変更、追加、交換等を行うことができ、これらは、添付の請求項に規定される本発明の範囲内であると見なされることは当業者に明白である。
【図面の簡単な説明】
【００３３】
【図１】１つまたは複数の物品を支持する１つまたは複数の支持部材を含む装置の１つの例示的な実施態様の斜視図である。
【図２】図１の装置の例示的な実施態様の部分的な分解斜視図である。
【図３】図１の装置の支持部材の別の例示的な態様の斜視図である。
【図４】図３の装置の例示的な実施態様の部分的な分解斜視図である。
【図５】図２の装置の例示的な実施態様の分解斜視図であって、２つ以上の支持部材を結合するのに役立つ例示的なコネクタ部品をさらに示す分解斜視図である。
【図６】図１の装置のさらに別の例示的な実施態様を示す斜視図であって、１つまたは複数の支持部材を含み、１つまたは複数の物品を支持する第１の枠組と、別の１つまたは複数の支持部材を含み、１つまたは複数のさらなる物品を支持する第２の枠組とをさらに示し、第１の枠組、第２の枠組、および１つまたは複数のコネクタ部品を含む積み上げ可能な構成をさらに示す斜視図である。
【図７】図６の装置の例示的な実施態様の部分的な分解斜視図である。
【図８】図６の線８−８に沿って方向づけられた図６の自立型構成の断面図である。
【図９】図６の装置の例示的な実施態様の斜視図であって、第１の枠組および第２の枠組を結合するのに役立つ例示的なコネクタ部品をさらに示す斜視図である。
【図１０】図６の装置の例示的な実施態様の別の斜視図であって、第１の枠組および第２の枠組を結合するのに役立つ例示的なコネクタ部品をさらに示す斜視図である。
【符号の説明】
【００３４】
１００  装置
１０２  ｘ軸
１０４  ｙ軸
１０６  ｚ軸
１０８〜１１４  第１〜第４の支持部材
１２７  物品
１４３，６０３  枠組(自立型枠組）
６０２  自立型構成
【図１】
2005101603.tif 000003
【図２】
2005101603.tif 000004
【図３】
2005101603.tif 000005
【図４】
2005101603.tif 000006
【図５】
2005101603.tif 000007
【図６】
2005101603.tif 000008
【図７】
2005101603.tif 000009
【図８】
2005101603.tif 000010
【図９】
2005101603.tif 000011
【図１０】
2005101603.tif 000012